(57)【要約】【課題】病院を利用する患者が検査や診療を受け、該診療が終了したときに支払う会計の長時間の順番待ちの解消と、診療費用の支払いのために現金を持ち歩くことを不要とした。【解決手段】病院における診察費用、検査費用、入院費用、手術費用等全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有した電子マネーカードとした。【選択図】図１
2006119790.tif 000002
【特許請求の範囲】
【請求項１】
病院における診察費用、検査費用、入院費用、手術費用等全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有していることを特徴とする診察カードを用いた医療費支払いシステム。
【請求項２】
病院における診療を受けた患者が使用する患者用端末機は電子マネーカード専用ＡＴＭとし、該患者用端末機と、病院内で病院関係者が使用する病院側端末機と、前記診療費用の決済を行うクレジット会社用端末機、銀行用端末機、プリペイドカード会社用端末機、そして前記患者の処方薬を処方する病院内の薬局用端末機又は病院外の薬局用端末機をインターネットで接続してネットワークを構築したことを特徴とする診察カードを用いた医療費支払いシステム。
【請求項３】
前記患者用端末機は電子マネーカード専用ＡＴＭ端末機となし、該端末機は患者が行った諸費用の支払い決済に対して領収書を印刷物として発行できる機能を有していることを特徴とする請求項１または請求項２記載の診察カードを用いた医療費支払いシステム。
【請求項４】
前記患者用端末機は電子マネーカード専用ＡＴＭ端末機となし、該端末機は病院における診療、検査、手術、入院等全ての医療行為の区切りが完了した時点で投薬の必要性の有無を確認して処方箋を印刷物として発行できる機能を有していることを特徴とする請求項１または請求項２記載の診察カードを用いた医療費支払いシステム。
【請求項５】
前記患者用端末機は電子マネーカード専用ＡＴＭ端末機となし、該端末機は患者の要求または自動的に次回の通院日時、医療科目等のインフォメーションを印刷物として発行できる機能を有していることを特徴とする請求項１または請求項２記載の診察カードを用いた医療費支払いシステム。
【請求項６】
前記患者の持つ電子マネーカードは薬局における処方薬費用の支払い、病院内売店等でも使用できる様に端末を備えたことを特徴とする請求項１または請求項２記載の診察カードを用いた医療費支払いシステム。
【発明の詳細な説明】
【技術分野】
【０００１】
本発明は病院等において、診察費用、検査費用、入院費用、手術費用等の支払いを診察カードを用いて行う医療費支払いシステムに関するものである。
本発明に使用される診察カードは、医療費の支払い手段として電子マネーカードを使用する。当該電子マネーカードは、例えばクレジット会社系のものはクレジットカードの中に、銀行系のものはキャッシュカードの中に、そしてプリペイド式カードではプリペイドカードの中に、ＩＣ及びメモリーチップを埋め込み、該メモリー内に自分の口座の預金残高、並びにカードの残高の中から予め決められた限度内、若しくは必要な分の金額を用意しておき、該金額を電子マネーカード専用ＡＴＭにより病院側に移動させて支払いをすることができるシステムに関するものである。
【背景技術】
【０００２】
従来、病院経営の立場で煩雑な医事会計処理システムや医事会計処理システム用のコンピュータープログラムが開発されている。
例えば特許文献１においては、診療報酬の計算作業等をはじめとして、病院に関して通常必要とされる医療に関する情報の処理ないし管理を簡易に実施しうる医事会計処理システムを開示している。
【特許文献１】特開２００３−２０３１１４号公報
【発明の開示】
【発明が解決しようとする課題】
【０００３】
本発明が解決しようとする課題は、上記特許文献１の如く病院経営の立場にて煩雑な医事会計処理をするのではなく、病院利用者にサービスを提供する立場で考えた医療費支払いシステムに関するものである。
【０００４】
病院を利用する患者が毎回困ることは、検査や診療受け、該診療が終了したときに支払う会計の長時間の順番待ちと、そのために現金を持ち歩くことである。
病気中の診療で現金の管理は大変困難であり、勢い同伴者に大きな負担を掛けることになるが、これが入院ともなると、病室での現金の管理は、決して好ましいものではなく、また退院時の支払いも家族に概算の金額を持参してもらい支払いを済ませている、というのが現状である。
【０００５】
斯くして、本発明は、上述の病院内会計での長時間の順番待ちを解消するほか、患者が通院する毎に現金を持ち歩く事を必要とせず、特に入院等では、患者側の立場にたった医療費支払いシステムを提供する。
【課題を解決するための手段】
【０００６】
本発明は、病院における診察費用、検査費用、入院費用、手術費用等全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有した電子マネーカードとすることにより、通院や入院時に現金を持ち歩くこともなく、また諸費用の支払いのために順番待ちを省いたことを最も主要な特徴とする診察カードを用いた医療費支払いシステムである。
【０００７】
また本発明おいて、病院で診療を受けた患者が使用する患者用端末機は電子マネーカード専用ＡＴＭとし、該患者用端末機と、病院内で病院関係者が使用する病院側端末機と、前記診療費用の決済を行うクレジット会社用端末機、銀行用端末機、プリペイドカード会社用端末機、そして前記患者の処方薬を処方する薬局用端末機をインターネットで接続してネットワークを構築したことを特徴とする診察カードを用いた医療費支払いシステムである。
【０００８】
更には本発明において、病院で診察を受けた患者が使用する患者用端末機は、電子マネーカード専用ＡＴＭ端末機となし、該端末機は患者が行った諸費用の費払い決済に対して領収書を印刷物として発行できる機能を有している診察カードを用いた医療費支払いシステムである。
【０００９】
また、本発明において、病院で診察を受けた患者が使用する患者用端末機は、電子マネーカード専用ＡＴＭ端末機となし、該端末機は病院における診療、検査、手術、入院等全ての医療行為の区切りが完了した１日、または１ヶ月、或いは退院の時点で、投薬の必要性の有無を確認して処方箋を印刷物として発行できる機能を有している診察カードを用いた医療費支払いシステムである。
【００１０】
更にまた、本発明において、病院で診察を受けた患者が使用する患者用端末機は、電子マネーカード専用ＡＴＭ端末機となし、該端末機は患者の要求、または自動的に次回の通院日時、医療科目等のインフォメーションを印刷物として発行できる機能を有している診察カードを用いた医療費支払いシステムである。
【００１１】
そして、本発明に係る患者の持つ電子マネーカードは、院内薬局、または、院外薬局における処方薬費用の支払い、病院内売店等でも使用できる様に売店用端末機を備えた診察カードを用いた医療費支払いシステムである。
【発明の効果】
【００１２】
本発明の診察カードを用いた医療費支払いシステムでは、病院における診察費用、検査費用、入院費用、手術費用等全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有した電子マネーカードとすることにより、通院や入院時に現金を持ち歩くこともなく、また諸費用の支払いのためや、薬局での長時間の順番待ちを省くことができた。
【００１３】
また、本発明における診察カードを用いた医療費支払いシステムでは、患者が患者用端末機を操作する事により諸費用の費払い決済明細領収書を印刷物として受領でき、また処方箋を印刷物として受領でき、更に次回の診療予約も印刷物として受領することができ、これらの情報を得るのに費やする時間を非常に短縮できて大変便利である。
【発明を実施するための最良の形態】
【００１４】
本発明を実施するための最良の形態は、病院における診察費用、検査費用、入院費用、手術費用等、全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有した電子マネーカードとすることにより、通院や入院時に現金を持ち歩くこともなく、また諸費用の支払いのために順番待ちを省いたことを最も主要な特徴とする診察カードを用いた医療費支払いシステムを構築したことである。
【００１５】
また本発明において、病院における診療を受けた患者が使用する患者用端末機は、電子マネーカード専用ＡＴＭとし、該患者用端末機と、病院内で病院関係者が使用する病院側端末機と、前記診療費用の決済を行うクレジット会社用端末機、銀行用端末機、プリペイドカード会社用端末機、そして前記患者の処方薬を処方する薬局用端末機をインターネットで接続してネットワークを構築した診察カードを用いた医療費支払いシステムである。
【００１６】
尚、本発明において、病院で診察を受けた患者が使用する患者用端末機は、電子マネーカード専用ＡＴＭ端末機となし、該端末機は患者が行った諸費用の支払い決済に対して領収書を印刷物として発行できる機能を有している診察カードを用いた医療費支払いシステムであることも好ましい。
【００１７】
更には、本発明において、病院で診察を受けた患者が使用する患者用端末機は、電子マネーカード専用ＡＴＭ端末機となし、該端末機は病院における診療、検査、手術、入院等全ての医療行為の区切りが完了した１日、または１ヶ月、或いは退院の時点で、投薬の必要性の有無を確認して処方箋を印刷物として発行できる機能を有している診察カードを用いた医療費支払いシステムであることも好ましい。
【００１８】
更にまた、本発明において、病院で診察を受けた患者が使用する患者用端末機は、電子マネーカード専用ＡＴＭ端末機となし、該端末機は患者の要求、または自動的に次回の通院日時、医療科目等のインフォメーションを印刷物として発行できる機能を有している診察カードを用いた医療費支払いシステムであることも好ましい。
【００１９】
そして、本発明に係る患者の持つ電子マネーカードは、院内薬局、または、院外薬局における処方薬費用の支払い、病院内売店等でも使用できる様に売店用端末機を備えた診察カードを用いた医療費支払いシステムであることも好ましいと言える。
【実施例１】
【００２０】
本発明の一つの実施例を、図１並びに図２に基き以下に説明する。
図１は本発明の実施の形態を説明する診察カードを用いた医療費支払いシステムの構成を示すブロック図である。
また図２は本発明の実施例に係る診察カードを用いた医療費支払いシステムに対する各種操作及び該システムの流れを示すフローチャート図である。
【００２１】
而して、本発明の一実施例の構成を、図１を参照して説明する。
本発明の診察カードを用いた医療費支払いシステムは、病院内に設置される複数の患者用端末機１a、１ｂ、１ｃ・・・と、病院内に設置される病院関係者用端末機２と、病院内薬局または病院外の薬局に配置される薬局用端末機３と、クレジット会社端末機４、プリペイドカード会社端末機５、銀行端末機６からなり、それらを接続するインターネット７等のネットワークから構成されている。
【００２２】
また、図１には示していないが、インターネット７のネットワークに接続される病院内外の売店、店舗も本発明を完璧に機能させる要素となりうる。
【００２３】
前記患者用端末機１a、１ｂ、１ｃ・・・は、電子マネーカード専用ＡＴＭの体裁を有しており、本発明の診察カードを用いた医療費支払いシステムでは、病院での諸費用の支払い手段として電子マネーカードを使用する。
前記電子マネーカードは、例えば、クレジット会社系のものはクレジットカードを診察カードとして使用し、該クレジットカードの中には、ＩＣ及びメモリーチップを埋め込んであり、患者の基本情報、診察記録等と共にクレジット会社との契約で予め決められている限度内の金額を移動させることができ、病院での諸費用の支払いを可能とする。
【００２４】
また、前記診察カードはプリペイドカード会社のカードも前期同様に診察カードとして使用でき、この場合にはプリペイドカードの中にＩＣ及びメモリーチップを埋め込み、該記憶装置内に患者の基本情報、診察記録と共に支払い限度額内で金額を移動でき、病院での諸費用の支払いができるように、予めプリペイドカード会社に予定金額を課金しておけば電子マネーとして使用できる。
【００２５】
更に、銀行系のものは、キャッシュカードの中にＩＣ及びメモリーチップを埋め込み、該記憶装置内に患者の基本情報、診察記録と共に自分の口座の預金残高を確保しておき、該預金残高の中から必要な預金を移動させて、病院での諸費用の支払いを行う形態の電子マネーである。
【００２６】
而して、本発明において使用される診察カードは、上記クレジット会社の電子マネーであったり、プリペイドカードの電子マネーであったり、また、銀行のキャッシュカードからなる電子マネーである。
【００２７】
前記電子マネーである診察カードは、病院内に複数台設置され、診察を受けた患者が使用する病院内患者用端末機１a、１ｂ、１ｃ・・・で患者は、患者自身の個人情報を読み込ませることことにより、病院関係者用端末機２より送信されてくる新しい患者情報を受信して、該情報により診療費用、検査費用等の諸費用の確認がおこなえる。
【００２８】
即ち、前記病院内患者用端末機１a、１ｂ、１ｃ・・・で患者は、患者自身の個人情報を読み込ませることことにより、該患者用端末機１a、１ｂ、１ｃ・・・で患者自身が行った諸費用の支払い決済に対して領収書を印刷物として受領することができる。
【００２９】
また、患者用端末機１a、１ｂ、１ｃ・・・では、病院における診療、検査、手術、入院等全ての医療行為の区切りが完了した１日、または１ヶ月、或いは退院の時点で、投薬の必要性の有無を確認して処方箋を印刷物として受領することもできる。
【００３０】
更に、患者用端末機１a、１ｂ、１ｃ・・・では、患者の要求により、または自動的に、次回の通院日時、医療科目等のインフォメーションを印刷物として受領することができる。
【００３１】
而して、患者が病院や薬局に諸費用を支払う折りには、診察カード化されている電子マネーの読み込みを行い、診療費用等諸費用支払い指示をクレジット会社端末機４、銀行端末機６、または、プリペイドカード会社端末機５等それぞれ電子マネー発行先に送信すればよい。
【００３２】
病院関係者用端末機２は、病院関係者が使用する端末であり、各患者毎の診察に対する診療費用や検査、入院、手術費用や処方薬の情報を管理、保有しており、病院内患者用端末機１a、１ｂ、１ｃ・・・等にそれぞれ要求に応じてその情報を送信する機能と、薬局用端末機３に患者識別情報とその患者に対する処方箋情報を送信できる機能を有している。
【００３３】
クレジット会社端末機４、プリペイドカード会社端末機５、銀行端末機６には、それぞれ病院内患者用端末機１a、１ｂ、１ｃ・・・から送信された診療費用等諸費用支払い指示、診療費用請求額、処方薬費用、病院識別情報、電子マネーカード情報を受信する機能を有しており、病院における諸費用は、患者の診察カードに付加されている電子マネーにて決済が行われる。
【００３４】
薬局用端末機３は、病院内の薬局、または、病院の近くの薬局に設置される端末で、病院関係者用端末機２から送信される患者識別情報、処方箋情報を受信して、該処方箋情報基き薬を処方して、患者に処方薬を受け渡す機能を有している。
【００３５】
次に、図２を参照して、本発明の診察カードを用いた医療費支払いシステム実施例の動作について説明する。
図２は、本発明の実施例に係る診察カードを用いた医療費支払いシステムに対する各種操作及び該システムの流れを示すフローチャート図である。
【００３６】
図２において、診療、検査、手術、入院等を終了した患者は、まず任意な病院内患者用端末機１a、１ｂ、１ｃ・・・等から病院が発行する患者個人情報を読込みます（ステップＳ１００）。例えば、病院内患者用端末機1aは、読み込んだ診察カード情報を病院関係者用端末機２に送信する（ステップＳ１０１）。病院関係者用端末機２は、病院内患者用端末機２から送信された診察カード情報を受信し（ステップＳ１０２）、診察カードの情報から患者個人の情報を抽出し、診療・検査・投薬等の患者個人情報を病院内患者用端末機1aに送信する（ステップＳ１０３）。
【００３７】
斯くして、病院内患者用端末機２から送信された上記患者個人情報には、例えば、患者自身が行った諸費用の支払い決済に対して領収書作成情報や投薬の必要性の有無を確認して処方箋を作成する情報、そして患者の次回の通院日時、医療科目等のインフォメーションの作成情報が含まれている。
【００３８】
而して患者個人情報を受信した（ステップＳ１０４）病院内患者用端末機1aは、患者個人の情報、即ち患者の氏名、住所電話番号に続き診療費用、検査費用等諸費用の確認がなされる（ステップＳ１０５）。
【００３９】
次に、患者は病院における諸費用支払いの為に、診療カードに埋め込まれた電子マネーカードを病院内患者用端末機1aに読み込ます（ステップＳ１０６）。そして患者は、病院内患者用端末機1aで、予め選択してあるクレジット会社端末機４、またはプリペイドカード会社端末機５、或いは銀行端末機６に、診療費用等諸費用支払い指示、診療費用請求額、処方薬費用、病院識別情報、電子マネーカード情報を送信する（ステップＳ１０７）。
【００４０】
クレジット会社端末機４、またはプリペイドカード会社端末機５、或いは銀行端末機６は、病院内患者用端末機1aから送信された、前記診療費用等諸費用支払い指示、診療費用請求額、処方薬費用、病院識別情報、電子マネーカード情報を受信し（ステップＳ１０８）、諸費用請求額を決済する（ステップＳ１０９）。
【００４１】
次に、病院関係者用端末機２は、患者に処方薬を受け渡しするために、患者識別情報、処方箋情報を薬局用端末機３に送信する（ステップＳ１１０）。薬局用端末機３は送信された患者識別情報、処方箋情報を受信し（ステップＳ１１１）、該薬局では、処方箋情報により患者の薬を処方する（ステップＳ１１２）。そして、処方薬費用をクレジット会社端末機４、またはプリペイドカード会社端末機５、或いは銀行端末機６に送信して報告し（ステップＳ１１３）、患者に処方薬を受け渡しする（ステップＳ１１４）。
【００４２】
而して、本発明において使用される診察カードは、上記クレジット会社の電子マネーであったり、プリペイドカードの電子マネーであったり、また、銀行のキャッシュカードから成る電子マネーである。
【００４３】
本発明の診察カードを用いた医療費支払いシステムでは、病院における診察費用、検査費用、入院費用、手術費用等全ての経費を患者が支払うに際して、患者は、クレジット会社と提携した診察カード、銀行と提携した診察カード、或いはプリペイドカード会社と提携した診察カードを持ち、該診察カードの中にはＩＣ及びメモリーチップを埋め込み、該ＩＣ及びメモリーチップ内には患者自身の個人情報、並びに利用できる必要金額を電子マネーカード専用ＡＴＭにより移動させて支払いをすることができる機能を有した電子マネーカードとすることにより、通院や入院時に現金を持ち歩くこともなく、また諸費用の支払いのためや、薬局での長時間の順番待ちを省くことができた。
【産業上の利用可能性】
【００４４】
上述のように本発明は、最新のコンピューター技術で各端末をインターネットで接続し、また、診察カードは、クレジット会社の電子マネーであったり、プリペイドカードの電子マネーであったり、また、銀行のキャッシュカードから成る電子マネーを使用することにより、病院における最大の欠陥である通院や入院時に現金を持ち歩くこと、また諸費用の支払いのためや、薬局での長時間の順番待ちを省くことが解消できるものであって、その産業上の利用価値は多大なものがある。
【００４５】
尚、本発明は、病院の診療システムに限定して説明したが、諸費用の発生する
宿泊施設の支払いシステム等においても、本発明は応用することが可能でその利用価値は更に多大なものがある。
【図面の簡単な説明】
【００４６】
【図１】本発明の実施例を説明する医療費支払いシステムの構成を示すブロック図である。
【図２】本発明の実施例に係るもので医療費支払いシステムに対する各種操作及び該システムの流れを示すフローチャート図である。
【符号の説明】
【００４７】
1a、１ｂ、１ｃ・・・  病院内患者用端末機
２  病院関係者用端末機
３  薬局用端末機
４  クレジット会社端末機
５  プリペイドカード会社端末機
６  銀行端末機
７  インターネット
【図１】
2006119790.tif 000003
【図２】
2006119790.tif 000004